(57)【要約】【課題】  装飾棺について、葬儀業者の在庫負担を増加させることなく低コストで依頼者ごとの多様な装飾上の要望に容易に対応できるようにする。【解決手段】  遺体を収容する箱型の本体２Ｂとこれに被せる蓋体３Ｂとからなり頭部側端面に予め模様２aが付された箱型の装飾棺１Ｂにおいて、依頼者の要望により選択された模様４a，５a，５ｂについて、蓋体３Ｂの上面に模様５ａ，５ｂを印刷したシート５を貼着し、本体２Ｂ正面に装飾模様４ａを印刷したシート４を貼着する。【選択図】      図２
2005102800.tif 000002
【特許請求の範囲】
【請求項１】
遺体を収容する箱型の本体と前記本体に被せる蓋体とからなる棺であって、前記本体または前記蓋体の内面または外面の少なくとも一部に依頼者の所望する装飾模様が前記依頼者により選択されて施されていることを特徴とする装飾棺。
【請求項２】
前記依頼者所望の装飾模様のうち少なくとも一部は、前記棺にシートを貼着することにより施されたものである請求項１に記載した装飾棺。
【請求項３】
前記貼着された装飾模様のうち少なくとも一部は、所定の語句または名前を構成する文字を含んだものである請求項２に記載した装飾棺。
【請求項４】
前記貼着された装飾模様のうち少なくとも一部は、表面に所定の装飾模様が印刷され裏面に貼付剤が添設されたシートを貼付したものである請求項２または３に記載した装飾棺。
【請求項５】
前記装飾模様が印刷されたシートのうち少なくとも一部は、前記依頼者から取得した画像データをもとに印刷されたものである請求項２，３または４に記載した装飾棺。
【請求項６】
前記棺はペット用の棺である請求項１，２，３，４または５に記載した装飾棺。
【請求項７】
請求項２，３，４，５または６に記載した装飾棺において、貼着されて前記装飾模様となる棺用の装飾シート。
【発明の詳細な説明】
【技術分野】
【０００１】
本発明は、木材や紙材などにより形成された箱型の構成体に装飾模様が施された装飾棺に関し、殊に依頼者の要望に添う装飾模様を表した装飾棺に関する。
【背景技術】
【０００２】
遺体を収容する棺は、木材からなる部材が組み立てられた状態で提供されるのが一般的である。そして、緊急的に使用されることが多いため葬儀業者が予め在庫を有していることが必要とされるが、完成品は体積および重量が大きいため取扱いにくく、また、材料が高価であるとともに保管に広いスペースを必要とするため葬儀業者の在庫負担が大きいものである。
【０００３】
これに対し、例えば実公平２−３６５０５号公報や特開平６−３０４２１４号公報において提示されているように、近年の段ボール製造技術の進歩により、木材よりも軽く低コストであり、しかも強度も充分な強化段ボール製の棺も使用されるようになった。
【０００４】
また近年においては、葬儀に荘厳で華やかな雰囲気を演出することを目的に棺にも装飾を施すことを要望する依頼者が増えてきた。そのため、棺を構成する部材表面に装飾模様を直接捺染したり模様を施した布で覆って作成した装飾棺を葬儀業者が予め在庫しておいて、これを依頼者が適宜選択することでその要望に対応する、ということも行われるようになった。
【０００５】
しかしながら、最近の依頼者の嗜好はさらに個性化・多様化が顕著となってきており、依頼者の好みに対応できるような多種類の模様を付した装飾棺を葬儀業者が総て在庫することは事実上困難である。殊に、遺体は依頼を受けてからすぐに納棺しなければならず、更に、通常は短期間の間に火葬などにより処理されることになるため、依頼者から要望を聞いた後に棺製造業者に注文していては間に合わない。
【０００６】
一方、近年においては、ペットにおいても飼い主の要望により人間と同様に葬儀を行うことが多くなっている。この場合、人間と同様の棺にペットの遺体を入れて葬儀を行うこともあり、さらに棺に個性的な装飾を施すことも行われるようになった。しかし、葬儀業者がペットの種類・大きさごとに様々な棺を在庫しておくことに加え、飼い主の要望に応えられるバラエティに富んだ装飾棺を多数用意しておくことは葬儀業者の負担増大に繋がる。
【特許文献１】実公平２−３６５０５号公報
【特許文献２】特開平６−３０４２１４号公報
【発明の開示】
【発明が解決しようとする課題】
【０００７】
本発明は、上記のような問題点を解決しようとするものであり、葬儀業者の在庫負担を増加させることなく低コストで依頼者ごとの多様な装飾上の要望に容易に対応できるような装飾棺を提供することを課題とするものである。
【課題を解決するための手段】
【０００８】
そこで、本発明は、遺体を収容する箱型の本体と前記本体に被せる蓋体とからなる棺について、本体または蓋体の内面または外面の少なくとも一部に依頼者の所望する装飾模様が依頼者により選択されて施されたものとした。これにより、依頼者の要望を聞いてから依頼者ごとに特有の装飾模様を後から棺に付加することで対応できるため、後で付加する装飾模様については予め棺に施されたものを在庫として確保しておく必要がないため、需要がないために売れ残ったりする心配もなく、葬儀業者の在庫負担が極めて軽いものとなり、且つ低コストで依頼者の装飾上の多様な要望を容易に実現することができる。
【０００９】
また、前述した装飾棺について、依頼者所望の装飾模様のうち少なくとも一部を、棺にシートを貼着することにより施すようにすれば、依頼者から依頼された後や遺体を納棺した後でも容易に棺に装飾模様を付加できるため、短時間で作業が完了できるようになって、依頼者の要望に細かく対応することができる。
【００１０】
また、前述した装飾模様を貼着する装飾棺において、前記貼着された装飾模様のうち少なくとも一部を、所定の語句または名前を構成する文字を含んだものとすれば、依頼者や故人の好きな言葉や名前などを容易に棺に表示できるようになり、依頼者の満足を一層得やすいものとなる。殊に、斯かる文字は依頼者特有のものが多いが、後から棺に貼着して付加できるようにしたことで、依頼後にコンピュータなどを用いて作成することにより、いかなる文字・デザインでも容易に対応することができる。
【００１１】
さらに、その貼着する装飾模様のうち少なくとも一部を、表面に所定の装飾模様が印刷され裏面に貼付剤が添設されたシートにより貼付するものとすれば、例えば予め複数種類の模様を印刷したシールシートを準備し、またはその都度プリンタなどで希望する模様をシールシートに印刷して、これを棺に貼るだけで依頼者の要望する模様を棺に即座に表示できるようになる。さらにまた、この装飾模様が印刷されたシートのうち少なくとも一部を、依頼者から取得した写真などの画像データをもとに印刷したものとすれば、例えば被葬者の写真や愛好した物品など特有の映像を棺に表示することができ、極めて個性的な装飾を実現して依頼者の更なる満足を得ることができる。
【００１２】
加えて、前述の各装飾棺をペット用の棺として、例えば人間用の棺と異なるサイズ・形状を備えたものとすれば、飼い主の装飾上の要望に対応してその満足を得ることができる。殊に、ペットの生前の写真や名前など、飼い主の要望による特有の装飾模様を棺に付加することで葬儀に華やかさを与えるとともに個性的な演出が可能となって、依頼者の大きな満足に繋がるものとなる。
【００１３】
さらに加えて、上述した各装飾棺において貼着される装飾模様が印刷された棺用のシートとして提供すれば、既存の一般的な棺にも容易に好みの装飾模様を施すことができるようになる。
【発明の効果】
【００１４】
本発明である装飾棺により、葬儀業者の在庫負担を増加させることなく低コストで依頼者ごとの多様な装飾上の要望に容易に対応できるようになった。
【発明を実施するための最良の形態】
【００１５】
次に、本発明の実施の形態について、図面を用いながら以下に詳細に説明する。
尚、異なる実施の形態であっても、同じ構成要素には同一の符号を付して説明する。また、本発明において模様とは、地模様のみならず文字や事物を描いたもの及び写真による映像等も含むものとし、依頼者から取得した撮影データとは、依頼者側により撮影された映像の映像データのほか、依頼者が提供した物品等を葬儀業者が撮影して得た映像データも含むものとする。
【００１６】
図１は、本発明において紙製の棺の外側表面全体に紫色（波線模様で表現）の地色が予め施されたものであって、本体２Ａの頭側端面に幾何学的な模様２ａが施され、蓋板３Ａの外表面と本体２Ａの正面に依頼者の選択による葡萄模様を表した模様３ａ，２ｂとが施された装飾棺１Ａを示している。
【００１７】
装飾棺１Ａは、重層構造を備えた強化段ボールからなり、上方に開口した開口部と遺体を収容する収容部を有する本体２Ａと、開口部を塞ぐ蓋板３Ａとからなる直方体の箱型形状を備えており、蓋板３Ａには頭側に覗き窓３ｂが設けられている。模様２ａは予め捺染により施されたものであり、装飾棺１Ａに当初から捺染印刷されたもので在庫された棺の多くに共通した模様であるが、模様２ｂおよび模様３ａは、特に依頼者の要望により選択して後から付加した装飾模様である。
【００１８】
このように、棺の地色と装飾上の中心的部分以外の模様は多くの棺に共通したものとし、正面と上面の装飾上目立ちやすい部分については依頼者に予め用意しておいた複数の模様の中から選択させることで、葬儀業者の在庫負担を増大させることなく低コストで依頼者の要望に応えやすいものとなる。しかも、斯かる装飾棺１Ａは強化段ボール製の組立式であるため、軽くて扱いやすいとともにコストが低廉で、表面に装飾模様を付しやすく、しかも畳んでコンパクトになって多数在庫しても嵩張らないものである。
【００１９】
図２は、本発明における他の実施の形態を示すものであり、図１の装飾棺１Ａとほぼ同様の構成であるが、白の地色を有するとともに蓋板３Ｂの外表面に依頼者の選択による模様５ａ，５ｂを印刷した大形のシート５を貼付し、且つ本体２Ｂの正面おいてシート５と対になる模様を施した小形のシート４を貼付した点が異なる装飾棺１Ｂを示している。
【００２０】
これらのシート４，５は、所定のカタログ等から模様を依頼者に選択させて印刷したものであるが、これら多様な模様が印刷された多数のシートを準備しておいて、その中から選択・抽出して貼付したものである。本実施の形態では故人が好きな花（ユリ）の模様５ｂを選択するとともに、依頼者の選択した言葉（Someday somewhere）が模様５ａとして付加されている。このようにすることで、棺の在庫は少なくても貼付するシートだけ多種多様に準備しておけば、依頼者の多様な要望に即座且つ容易に対応することができる。尚、貼付に先だって、印刷されたシートを予め所定の形状にカットしておくことが好ましく、シートに貼付容易な裏面粘着シート（シールシート）を用いることが迅速な対応を可能とする点で好ましい。
【００２１】
図３は、本発明の異なる実施の形態を示すものであり、図２の装飾棺１Ｂにおけるような予め印刷しておいて貼付するシート４，５とは異なり、依頼者の要望を受けてから印刷したシート６，７として貼付したものとした実施の形態であって、しかも正面のシート７は依頼者から取得した写真を印刷したものを用いたものとした、装飾棺１Ｃを示している。
【００２２】
本実施の形態において、例えば故人が登山家であった場合に、依頼者または故人の生前の要望により、故人が過去に撮影した山の写真をスキャナーで読み込んで、プリンタでシールシートに模様６ａとして印刷したシート６を本体２Ｃの正面に貼付したものである。蓋板３Ｃには依頼者が選択したピッケルの絵からなる模様７ｂと、故人の好きであった言葉からなる模様７ａが印刷されたシート７が貼付してある。このように、依頼者から依頼された後でシート６，７を印刷することで、多種多様の模様を印刷したシートを予め数多く準備しておく必要もない。加えて、依頼者から特定の画像を取得してこれを印刷することで、極めて個性的な演出が実現できる棺を提供することができる。尚、依頼者から取得する画像は、プリントされた写真に限らず、ネガでもよく、さらにはデジタルカメラやビデオカメラの映像データでもよいことはいうまでもない。
【００２３】
図４は、本発明のさらに異なる実施の形態を示すものであり、棺を人間用のものと異なるサイズ・形状としてペット用とした装飾棺１Ｄを示している。本実施の形態では猫用として人間用の棺と比較して長さを約４分の１、幅を約２分の１とし、さらに依頼者（飼い主）の要望を聞いてから本体２Ｄの正面に猫の生前の写真からなる模様８ａを印刷したシート８を貼付し、蓋板３Ｄに猫の名前（ＴＡＭＡ）をワープロで構成してなる模様９ａと選択されたイラスト９ｂとを印刷したシート９を貼付してある。
【００２４】
装飾棺１Ｄは紙製の組立式であり、特にサイズや形状の多様さが求められるペットの棺であっても、葬儀業者の在庫負担を重くすることなく低コストで様々な種類のペットに対応できるようになるが、さらに依頼者の装飾上の要望に応えて、ペットの名前などの特定の文字や依頼者から提供された画像を表示することで、葬儀を華やか且つ極めて個性的なものとして依頼者の満足が得られやすいものとなる。
【００２５】
尚、本発明を実施するための最良の形態は以上の説明で十分に示したが、本発明はこれらに限定されるものではない。例えば、蓋板の覗き窓の有無や形状は問わず、貼付するシートも貼付面を総てカバーするものでも極めて小さいものであるかは問わず、装飾棺の構成体の素材も問わない。また、依頼者の要望を聞いた後でシートに依頼者所望の装飾模様を印刷する実施の形態には、多種多様な装飾模様をデータとして記録媒体またはコンピュータハードウエア内に格納して用意しておいて、カタログやディスプレイ上などに表示された一覧を用いて好みの装飾模様をその中から選択させ、これをプリンタで印刷する場合も含む。
【図面の簡単な説明】
【００２６】
【図１】本発明の実施の形態を示す斜視図。
【図２】本発明の他の実施の形態を示す斜視図。
【図３】本発明の異なる実施の形態を示す斜視図。
【図４】本発明の更に異なる実施の形態を示す斜視図。
【符号の説明】
【００２７】
１Ａ，１Ｂ，１Ｃ，１Ｄ  装飾棺、２Ａ，２Ｂ，２Ｃ，２Ｄ  本体、２ａ，２ｂ，３ａ，４ａ，５ａ，５ｂ，６ａ，７ａ，７ｂ，８ａ，９ａ，９ｂ  模様、
３Ａ，３Ｂ，３Ｃ，３Ｄ  蓋板、３ｂ  覗き窓、４，５，６，７，８，９  シート
【図１】
2005102800.tif 000003
【図２】
2005102800.tif 000004
【図３】
2005102800.tif 000005
【図４】
2005102800.tif 000006